Podtech/llm-jp-corpus-v4-ja_patent huggingface dataset:
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
遊技球の始動入賞を契機に当否の判定を行う抽選手段と、
前記抽選手段によって当りと判定されたことに基づいて、遊技者に有利な特別遊技を実行する特別遊技実行手段と、
前記特別遊技中に遊技球が特定領域を通過した場合に、該特別遊技の終了後の遊技状態を通常遊技状態と比較して該特別遊技の発生頻度が高い特典遊技状態に移行させる遊技状態制御手段と、
遊技状態に応じて遊技に関する演出を実行する演出手段と、を備え、
前記特別遊技は、遊技球が前記特定領域を通過可能な特別ラウンドを含む複数のラウンド遊技で構成される第１特別遊技を含み、
前記演出手段は、
前記第１特別遊技の特別ラウンド中に、遊技者に対して遊技球の打ち出し位置を指示する第１指示演出と、遊技者に対して遊技球が前記特定領域を通過するように遊技方法を指示する第２指示演出を実行し、
遊技球が前記特定領域を通過した場合には、前記第１指示演出を終了せず、前記第２指示演出を終了し、遊技球が該特定領域を通過したことを示す報知演出の実行を開始させる一方、
前記報知演出の開始後に遊技球が前記特定領域を通過した場合には、該報知演出の実行を開始させないことを特徴とする弾球遊技機。
【手続補正２】
【補正対象書類名】明細書
【補正対象項目名】０００８
【補正方法】変更
【補正の内容】
【０００８】
本発明の弾球遊技機は、遊技球の始動入賞を契機に当否の判定を行う抽選手段と、前記抽選手段によって当りと判定されたことに基づいて、遊技者に有利な特別遊技を実行する特別遊技実行手段と、前記特別遊技中に遊技球が特定領域を通過した場合に、該特別遊技の終了後の遊技状態を通常遊技状態と比較して該特別遊技の発生頻度が高い特典遊技状態に移行させる遊技状態制御手段と、遊技状態に応じて遊技に関する演出を実行する演出手段と、を備え、前記特別遊技は、遊技球が前記特定領域を通過可能な特別ラウンドを含む複数のラウンド遊技で構成される第１特別遊技を含み、前記演出手段は、前記第１特別遊技の特別ラウンド中に、遊技者に対して遊技球の打ち出し位置を指示する第１指示演出と、遊技者に対して遊技球が前記特定領域を通過するように遊技方法を指示する第２指示演出を実行し、遊技球が前記特定領域を通過した場合には、前記第１指示演出を終了せず、前記第２指示演出を終了し、遊技球が該特定領域を通過したことを示す報知演出の実行を開始させる一方、前記報知演出の開始後に遊技球が前記特定領域を通過した場合には、該報知演出の実行を開始させないことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
複数の遊技機を備える遊技機島に、前記各遊技機に個別に対応するように設置される演出システムであって、
前記遊技機島の各遊技機ごとに用意され、遊技機に直結されて当該遊技機から演出データを取得する音響・動作制御部と、
前記音響・動作制御部に接続されていて、前記音響・動作制御部から出力される演出データ中の音響データを当該遊技機の遊技者に対してのみ伝達する音響伝達手段と、
を含むことを特徴とする遊技施設における遊技演出システム。
【請求項２】
前記音響・動作制御部に接続されていて、前記音響・動作制御部からの演出駆動指令に呼応して当該遊技機の遊技者に相応の刺激を与える刺激演出手段を更に含む、請求項１に記載の遊技施設における遊技演出システム。
【請求項３】
前記音響・動作制御部は、前記刺激演出手段に対する演出駆動指令を、外部メディアから取得する演出情報に基づいて送出する、請求項２に記載の遊技施設における遊技演出システム。
【請求項４】
前記音響伝達手段は、骨伝導タイプを含むヘッドホンである、請求項１乃至３のいずれかに記載の遊技施設における遊技演出システム。
【請求項５】
前記音響伝達手段は指向性スピーカーである、請求項１乃至３のいずれかに記載の遊技施設における遊技演出システム。
【請求項６】
前記刺激演出手段として、前記音響・動作制御部から出力される前記演出駆動指令に呼応して振動する当該遊技機の遊技シートを含む、請求項２乃至４のいずれかに記載の遊技施設における遊技演出システム。
【請求項７】
前記刺激演出手段として、前記音響・動作制御部から出力される前記演出駆動指令に呼応してミスト、風、香気のうちの１又は複数を発する空調演出具を含む、請求項２乃至５のいずれかに記載の遊技施設における遊技演出システム。
【請求項８】
前記音響・動作制御部から出力される前記演出データ中の映像データを表示するディスプレイを更に含む、請求項１乃至７のいずれかに記載の遊技施設における遊技演出システム。
【請求項９】
前記音響・動作制御部から出力される前記演出データ中の映像データを周辺部位に照射するプロジェクタを更に含む、請求項１乃至８のいずれかに記載の遊技施設における遊技演出システム。
【請求項１０】
前記音響・動作制御部は、前記遊技施設の場内放送設備に無線又は有線接続されて、前記遊技施設の場内放送設備からの音声の入力及び出力が可能である、請求項１乃至９のいずれかに記載の遊技施設における遊技演出システム。
【請求項１１】
前記音響・動作制御部は、前記遊技施設外の外部機関からの情報受信及びその出力が可能である、請求項１乃至１０のいずれかに記載の遊技施設における遊技演出システム。
【手続補正２】
【補正対象書類名】明細書
【補正対象項目名】００１２
【補正方法】変更
【補正の内容】
【００１２】
本発明は、これらの背景の下になされたもので、遊技機から発せられる音響を抑えつつ、利用者に遊技機からの効果音を十分に聴取させ、且つ、ホールに流される情報の確実な聴取を可能にし、また、パチンコ遊技及びパチスロ遊技に際し、並びに、入賞に際し、従来にない演出を行うことで遊技者の興味をそそり、以て、遊技施設における音響問題を解決すると共に、利用者の安全を確保し、更に、防犯対策ともなり得る遊技施設における遊技演出システムを提供することを課題とする。
【手続補正３】
【補正対象書類名】明細書
【補正対象項目名】００１３
【補正方法】変更
【補正の内容】
【００１３】
上記課題を解決するための請求項１に係る発明は、複数の遊技機を備える遊技機島に、前記各遊技機に個別に対応するように設置される演出システムであって、前記遊技機島の各遊技機ごとに用意され、遊技機に直結されて当該遊技機から演出データを取得する音響・動作制御部と、前記音響・動作制御部に接続されていて、前記音響・動作制御部から出力される演出データ中の音響データを当該遊技機の遊技者に対してのみ伝達する音響伝達手段と、を含むことを特徴とする遊技施設における遊技演出システムである。
【手続補正４】
【補正対象書類名】明細書
【補正対象項目名】００１４
【補正方法】変更
【補正の内容】
【００１４】
一実施形態においては、前記音響・動作制御部に接続されていて、前記音響・動作制御部からの演出駆動指令に呼応して当該遊技機の遊技者に相応の刺激を与える刺激演出手段を更に含み、前記音響・動作制御部は、前記刺激演出手段に対する演出駆動指令を、外部メディアから取得する演出情報に基づいて送出する。
【手続補正５】
【補正対象書類名】明細書
【補正対象項目名】００２２
【補正方法】変更
【補正の内容】
【００２２】
本演出システムを構成する機器は、各遊技機２ごとに独立して設置される。本演出システムは、少なくとも、遊技機２に直結されて当該遊技機２から音響データと映像データを含む演出データを取得する音響・動作制御部５と、音響・動作制御部５に接続されて、音響・動作制御部５から出力される演出データ中の音響データを、当該遊技機２の遊技者に対してのみ伝達する音響伝達手段とを含み、更に好ましくは、音響・動作制御部５に接続されて、演出データに呼応して当該遊技機２の遊技者に相応の刺激を与える刺激演出手段を含んで構成される。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
利益状態を発生させるか否かの抽選結果に応じて複数の図柄を変動表示する図柄表示手段と、
前記図柄表示手段による図柄変動中に所定演出を実行可能な所定演出実行手段とを備えた
遊技機において、
前記特定演出を実行しない場合には、前記複数の図柄が全て異なるタイミングで停止動作を開始し、
前記特定演出を実行する場合には、前記複数の図柄が略同時に停止動作を開始する
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、演出効果を最大限発揮することが可能な遊技機を提供することを目的とする。
【手続補正４】
【補正対象書類名】明細書
【補正対象項目名】０００６
【補正方法】変更
【補正の内容】
【０００６】
本発明は、利益状態を発生させるか否かの抽選結果に応じて複数の図柄を変動表示する図柄表示手段３８と、前記図柄表示手段３８による図柄変動中に所定演出を実行可能な所定演出実行手段７６とを備えた遊技機において、前記特定演出を実行しない場合には、前記複数の図柄が全て異なるタイミングで停止動作を開始し、前記特定演出を実行する場合には、前記複数の図柄が略同時に停止動作を開始するように構成したものである。
また、利益状態を発生させるか否かの抽選結果に応じて一又は複数の図柄を変動表示する図柄表示手段３８と、前記図柄表示手段３８による図柄変動中に所定演出を実行可能な所定演出実行手段７６とを備えた遊技機において、前記所定演出を実行する場合と実行しない場合とで前記図柄の停止動作を異ならせてもよい。
【手続補正５】
【補正対象書類名】明細書
【補正対象項目名】００１２
【補正方法】変更
【補正の内容】
【００１２】
本発明によれば、演出効果を最大限発揮することが可能である。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
利益状態を発生させるか否かの抽選結果に応じて３つの図柄を変動表示する図柄表示手段と、
前記図柄表示手段による図柄変動中に、一又は複数段階の演出ステップよりなるステップアップ演出を実行可能なステップアップ演出実行手段とを備えた
遊技機において、
前記演出ステップを所定段階まで実行しない場合には、前記３つの図柄が全て異なるタイミングで停止動作を開始し、
前記演出ステップを所定段階まで実行する場合には、前記３つの図柄のうちの２つが略同時に停止動作を開始し、それに遅れて他の１つの図柄が停止動作を開始する
ことを特徴とする遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、ステップアップ演出を効果的に実行可能な遊技機を提供することを目的とする。
【手続補正５】
【補正対象書類名】明細書
【補正対象項目名】０００８
【補正方法】変更
【補正の内容】
【０００８】
本発明は、利益状態を発生させるか否かの抽選結果に応じて３つの図柄を変動表示する図柄表示手段３８と、前記図柄表示手段３８による図柄変動中に、一又は複数段階の演出ステップよりなるステップアップ演出を実行可能なステップアップ演出実行手段７６とを備えた遊技機において、前記演出ステップを所定段階まで実行しない場合には、前記３つの図柄が全て異なるタイミングで停止動作を開始し、前記演出ステップを所定段階まで実行する場合には、前記３つの図柄のうちの２つが略同時に停止動作を開始し、それに遅れて他の１つの図柄が停止動作を開始するように構成したものである。
また、図柄始動手段１９が遊技球を検出することに基づいて取得される変動記憶情報に基づいて図柄を変動表示する図柄表示手段３８と、前記変動記憶情報を前記図柄表示手段３８による図柄変動に供されるまで所定の上限個数を限度として記憶する情報記憶手段６３と、前記図柄表示手段３８による変動後の停止図柄が特定態様となった場合に利益状態を発生させる利益状態発生手段６７と、前記情報記憶手段６３に記憶された前記変動記憶情報の個数に関する保留個数情報を保留表示部４０に表示可能な保留個数情報表示手段２８，３９と、前記図柄表示手段３８による図柄変動中に、一又は複数段階の演出ステップよりなるステップアップ演出を実行可能なステップアップ演出実行手段７６とを備えた遊技機において、前記ステップアップ演出における前記演出ステップが特定段階に達した場合に、前記保留表示部４０に表示されている前記保留個数情報の少なくとも一部を前側から視認不可能な状態にするように構成してもよい。
【手続補正６】
【補正対象書類名】明細書
【補正対象項目名】００１３
【補正方法】変更
【補正の内容】
【００１３】
本発明によれば、ステップアップ演出を効果的に実行可能である。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
利益状態を発生させるか否かの抽選結果に応じて図柄を変動表示する図柄表示手段と、
前記図柄の変動パターンを選択する変動パターン選択手段と、
前記図柄表示手段による図柄変動中に、一又は複数段階の演出ステップよりなるステップアップ演出を実行可能なステップアップ演出実行手段とを備えた
遊技機において、
何段階までの前記演出ステップよりなるステップアップ演出を行うかを選択するステップアップ演出選択手段を備え、
所定の遊技状態のときに選択可能な最も短い変動パターンが選択される場合には、前記ステップアップ演出選択手段は、第１段階までの前記演出ステップよりなる第１ステップアップ演出を選択対象とする
ことを特徴とする遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、ステップアップ演出による演出効果を最大限発揮することが可能な遊技機を提供することを目的とする。
【手続補正４】
【補正対象書類名】明細書
【補正対象項目名】０００７
【補正方法】変更
【補正の内容】
【０００７】
本発明は、利益状態を発生させるか否かの抽選結果に応じて図柄を変動表示する図柄表示手段３８と、前記図柄の変動パターンを選択する変動パターン選択手段６４ｃと、前記図柄表示手段３８による図柄変動中に、一又は複数段階の演出ステップよりなるステップアップ演出を実行可能なステップアップ演出実行手段７６とを備えた遊技機において、何段階までの前記演出ステップよりなるステップアップ演出を行うかを選択するステップアップ演出選択手段７４ａを備え、所定の遊技状態のときに選択可能な最も短い変動パターンが選択される場合には、前記ステップアップ演出選択手段７４ａは、第１段階までの前記演出ステップよりなる第１ステップアップ演出を選択対象とするものである。
また、利益状態を発生させるか否かの抽選結果に応じて図柄を変動表示する図柄表示手段３８と、前記図柄の変動時間を選択する変動時間選択手段６４ｃと、前記図柄表示手段３８による図柄変動中に、一又は複数段階の演出ステップよりなるステップアップ演出を実行可能なステップアップ演出実行手段７６とを備えた遊技機において、前記ステップアップ演出において前記演出ステップを何段階まで行うかを選択するステップアップ演出選択手段７４ａを備え、前記図柄の変動時間に応じて、前記ステップアップ演出選択手段７４ａにより選択対象となる前記ステップアップ演出の種別を異ならせてもよい。
【手続補正５】
【補正対象書類名】明細書
【補正対象項目名】０００９
【補正方法】変更
【補正の内容】
【０００９】
本発明によれば、ステップアップ演出による演出効果を最大限発揮することが可能である。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
利益状態を発生させるか否かの抽選結果に応じて３つの図柄を変動表示する図柄表示手段と、
前記図柄表示手段による図柄変動中に特定演出を実行可能な特定演出実行手段とを備えた
遊技機において、
前記特定演出を実行しない場合には、前記３つの図柄が全て異なるタイミングで停止動作を開始し、
前記特定演出を実行する場合には、前記３つの図柄のうちの２つが略同時に停止動作を開始し、それに遅れて他の１つの図柄が停止動作を開始する
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明は、図柄変動中に実行する演出による演出効果を最大限発揮することが可能な遊技機を提供することを目的とする。
【手続補正５】
【補正対象書類名】明細書
【補正対象項目名】０００７
【補正方法】変更
【補正の内容】
【０００７】
本発明は、利益状態を発生させるか否かの抽選結果に応じて３つの図柄を変動表示する図柄表示手段３８と、前記図柄表示手段３８による図柄変動中に特定演出を実行可能な特定演出実行手段７６とを備えた遊技機において、前記特定演出を実行しない場合には、前記３つの図柄が全て異なるタイミングで停止動作を開始し、前記特定演出を実行する場合には、前記３つの図柄のうちの２つが略同時に停止動作を開始し、それに遅れて他の１つの図柄が停止動作を開始するように構成したものである。
また、利益状態を発生させるか否かの抽選結果に応じて図柄を変動表示する図柄表示手段３８と、前記図柄の変動時間を選択する変動時間選択手段６４ｃと、前記図柄表示手段３８による図柄変動中に特定演出を実行可能な特定演出実行手段７６とを備えた遊技機において、前記図柄の変動時間に応じて前記特定演出の演出時間を異ならせてもよい。
【手続補正６】
【補正対象書類名】明細書
【補正対象項目名】００１０
【補正方法】変更
【補正の内容】
【００１０】
本発明によれば、図柄変動中に実行する演出による演出効果を最大限発揮することが可能である。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
操作手段が操作されたことを検知する操作検知手段と、
操作有効期間中における前記操作検知手段による検知が所定操作条件を満たした場合に操作成立と判定する操作判定手段と、
前記操作判定手段により操作成立と判定された場合に、可動体を動作させる操作時演出を実行可能な操作時演出実行手段とを備えた
遊技機において、
前記操作時演出は、
前記操作判定手段により操作成立と判定された場合に、前記操作検知手段による検知タイミングを起点に前記可動体を第１位置から第２位置まで移動させる往路演出と、
前記往路演出後に前記可動体が前記第２位置にある状態で前記検知タイミングに応じた時間待ちを行った後、前記可動体を前記第２位置から前記第１位置に移動させる復路演出とを含み、
前記往路演出の実行時間と、前記復路演出の実行時間と、前記操作有効期間が開始してから前記復路演出が終了するまでの時間とを、前記検知タイミングに拘わらず夫々一定とした
ことを特徴とする遊技機。
【手続補正２】
【補正対象書類名】明細書
【補正対象項目名】０００８
【補正方法】変更
【補正の内容】
【０００８】
本発明は、操作手段１４が操作されたことを検知する操作検知手段１４ａと、操作有効期間中における前記操作検知手段１４ａによる検知が所定操作条件を満たした場合に操作成立と判定する操作判定手段７７と、前記操作判定手段７７により操作成立と判定された場合に、可動体３１を動作させる操作時演出を実行可能な操作時演出実行手段７６とを備えた遊技機において、前記操作時演出は、前記操作判定手段７７により操作成立と判定された場合に、前記操作検知手段１４ａによる検知タイミングを起点に前記可動体３１を第１位置から第２位置まで移動させる往路演出と、前記往路演出後に前記可動体３１が前記第２位置にある状態で前記検知タイミングに応じた時間待ちを行った後、前記可動体３１を前記第２位置から前記第１位置に移動させる復路演出とを含み、前記往路演出の実行時間と、前記復路演出の実行時間と、前記操作有効期間が開始してから前記復路演出が終了するまでの時間とを、前記検知タイミングに拘わらず夫々一定としたものである。
また、操作手段１４が操作されたことを検知する操作検知手段１４ａと、操作有効期間中における前記操作検知手段１４ａによる検知が所定操作条件を満たした場合に操作成立と判定する操作判定手段７７と、前記操作判定手段７７により操作成立と判定された場合に操作時演出を実行可能な操作時演出実行手段７６とを備えた遊技機において、前記操作有効期間中における前記操作成立のタイミングに応じて前記操作時演出の演出時間を異ならせてもよい。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
前記メイン制御手段によって制御され、クレジット数を表示可能な表示手段と、
第１出力ポートと、
第２出力ポートと
を備え、
前記表示手段は、第１の桁を表示可能な第１表示部と、第２の桁を表示可能な第２表示部とを有し、
第１表示部及び第２表示部は、それぞれ、複数のセグメントを有し、
第１出力ポートは、第１表示部及び第２表示部と電気的に接続されており、
第２出力ポートは、第１表示部の複数のセグメント、及び第２表示部の複数のセグメントと電気的に接続されており、
前記メイン制御手段は、
第１表示部の所定のセグメントを点灯表示させるときは、第１出力ポートから第１表示部を指定するためのデジット信号を出力する処理と、第２出力ポートから所定のセグメントを点灯表示するためのセグメント信号を第１表示部及び第２表示部に出力する処理とを実行可能とし、
第２表示部の特定のセグメントを点灯表示させるときは、第１出力ポートから第２表示部を指定するためのデジット信号を出力する処理と、第２出力ポートから特定のセグメントを点灯表示するためのセグメント信号を第１表示部及び第２表示部に出力する処理とを実行可能とする
ことを特徴とするスロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００１
【補正方法】変更
【補正の内容】
【０００１】
本発明は、クレジット数を表示可能な第１表示部及び第２表示部を有するスロットマシンに関するものである。
【手続補正４】
【補正対象書類名】明細書
【補正対象項目名】０００４
【補正方法】変更
【補正の内容】
【０００４】
特許文献１の技術では、切替えスイッチ１００（設定キースイッチ）のオン／オフにより点灯させる表示器を切り替えることができるが、手動によるものであるので、自動制御による複数個の７セグのダイナミック点灯制御ではない。また、払出し枚数表示器５０のうち、十位表示器５１は常時点灯状態にあり、一位表示器５２と設定値表示器６０との点灯を切替えスイッチ１００により切り替えるにすぎない。
【手続補正５】
【補正対象書類名】明細書
【補正対象項目名】０００５
【補正方法】変更
【補正の内容】
【０００５】
本発明が解決しようとする課題は、スロットマシンにおいて、複数のセグメントを有する表示部を複数備える場合に、各表示部のセグメントの点灯制御を簡素に行うことである
【手続補正６】
【補正対象書類名】明細書
【補正対象項目名】０００６
【補正方法】変更
【補正の内容】
【０００６】
本発明は、以下の解決手段によって上述の課題を解決する。なお、かっこ書きで、対応する実施形態の構成を示す。
本発明は、
遊技の進行を制御するメイン制御手段（メイン制御基板６０）と、
前記メイン制御手段によって制御され、クレジット数を表示可能な表示手段（貯留数表示ＬＥＤ７１）と、
第１出力ポート（出力ポート０）と、
第２出力ポート（出力ポート１）と
を備え、
前記表示手段は、第１の桁（上位桁）を表示可能な第１表示部（デジット１）と、第２の桁（下位桁）を表示可能な第２表示部（デジット２）とを有し、
第１表示部及び第２表示部は、それぞれ、複数のセグメント（セグメントＡ〜Ｇ）を有し、
第１出力ポートは、第１表示部及び第２表示部と電気的に接続されており、
第２出力ポートは、第１表示部の複数のセグメント、及び第２表示部の複数のセグメントと電気的に接続されており、
前記メイン制御手段は、
第１表示部の所定のセグメントを点灯表示させるときは、第１出力ポートから第１表示部を指定するためのデジット信号を出力する処理と、第２出力ポートから所定のセグメントを点灯表示するためのセグメント信号を第１表示部及び第２表示部に出力する処理とを実行可能とし、
第２表示部の特定のセグメントを点灯表示させるときは、第１出力ポートから第２表示部を指定するためのデジット信号を出力する処理と、第２出力ポートから特定のセグメントを点灯表示するためのセグメント信号を第１表示部及び第２表示部に出力する処理とを実行可能とする
ことを特徴とする。
【手続補正７】
【補正対象書類名】明細書
【補正対象項目名】０００７
【補正方法】変更
【補正の内容】
【０００７】
本発明によれば、簡素な方法で、任意の表示部の任意のセグメントを点灯制御することができる。
【手続補正書】
【提出日】平成29年3月13日(2017.3.13)
【手続補正１】
【補正対象書類名】特許請求の範囲
【補正対象項目名】請求項１
【補正方法】変更
【補正の内容】
【請求項１】
縦方向及び横方向と、肌対向面及びその反対側に位置する非肌対向面と、前ウエスト域及び後ウエスト域のうちの一方である第１ウエスト域と、前記前ウエスト域及び前記後ウエスト域のうちの他方である第２ウエスト域と、前記第１及び第２ウエスト域間に位置するクロッチ域とを有するシャーシを備え、前記第１及び第２ウエスト域の両側縁部を連結して画成されるウエスト開口及び一対のレッグ開口を有するパンツ型の着用物品において、
前記第１ウエスト域には、前記横方向へ伸長状態で収縮可能に配置された複数条のウエスト弾性体が互いに前記縦方向において所与寸法離間して配置されており、
前記第１ウエスト域は、前記肌対向面側において他の領域に比して静摩擦係数の高い高摩擦部を有し、
前記高摩擦部は、前記縦方向において隣接する前記ウエスト弾性体間の離間部分に配置され、かつ、前記ウエスト弾性体と平面視において重なっていないことを特徴とする着用物品。
【手続補正２】
【補正対象書類名】特許請求の範囲
【補正対象項目名】請求項３
【補正方法】変更
【補正の内容】
【請求項３】
前記高摩擦部の前記ウエスト開口縁からの離間寸法は、３０ｍｍ以上である請求項２に記載の着用物品。
【手続補正３】
【補正対象書類名】明細書
【補正対象項目名】０００７
【補正方法】変更
【補正の内容】
【０００７】
上記課題を達成するために、本発明が対象とするのは、縦方向及び横方向と、肌対向面及びその反対側に位置する非肌対向面と、前ウエスト域及び後ウエスト域のうちの一方である第１ウエスト域と、前記前ウエスト域及び前記後ウエスト域のうちの他方である第２ウエスト域と、前記第１及び第２ウエスト域間に位置するクロッチ域とを有するシャーシを備え、前記第１及び第２ウエスト域の両側縁部を連結して画成されるウエスト開口及び一対のレッグ開口を有するパンツ型の着用物品である。
【手続補正４】
【補正対象書類名】明細書
【補正対象項目名】００１４
【補正方法】変更
【補正の内容】
【００１４】
図３を参照すると、前後ウエストパネル１８，１９は、肌対向面側に位置する内層シート３０，３１と、非肌対向面側に位置する外層シート３２，３３と、横方向Ｘへ延びる複数条のストリング状又はストランド状の弾性材料から形成されており、内外層シート３０，３１，３２，３３の間においてホットメルト接着剤を介して伸長状態で収縮可能に取り付けられた前後ウエスト弾性体（ウエスト弾性体）３４，３５とを有し、後ウエストパネル１９は、更に、臀部弾性体３６を有する。臀部弾性体３６は、後ウエスト域１３の両側縁部からレッグ開口縁に沿ってクロッチ域１５まで延びる複数条のストリング状又はストランド状の弾性材料から形成され、内外層シート３０，３１，３２，３３の間においてホットメルト接着剤を介して伸長状態で収縮可能に取り付けられる。
【手続補正５】
【補正対象書類名】明細書
【補正対象項目名】００５５
【補正方法】変更
【補正の内容】
【００５５】
以上に記載した本発明に関する開示は、少なくとも下記事項に整理することができる。
縦方向Ｙ及び横方向Ｘと、肌対向面及びその反対側に位置する非肌対向面と、前ウエスト域１２及び後ウエスト域１３のうちの一方である第１ウエスト域１２と、前ウエスト域１２及び後ウエスト域１３のうちの他方である第２ウエスト域１３と、第１及び第２ウエスト域１２，１３間に位置するクロッチ域１４とを有するシャーシ１１を備え、第１及び第２ウエスト域１２，１３の両側縁部を連結して画成されるウエスト開口２５及び一対のレッグ開口２６を有するおむつ１において、第１ウエスト域１２には、横方向Ｘへ伸長状態で収縮可能に配置された複数条のウエスト弾性体３４が互いに縦方向Ｙにおいて所与寸法離間して配置されており、第１ウエスト域１２は、肌対向面側において他の領域に比して静摩擦係数の高い高摩擦部２０を有し、高摩擦部２０は、縦方向Ｙにおいて隣接するウエスト弾性体３４間の離間部分に配置され、かつ、ウエスト弾性体３４と平面視において重なっていないことを特徴とする。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
オーディオエレメントの組み合わせごとに定まる、前記組み合わせの前記オーディオエレメントのデコードに必要なバッファサイズに基づいて、前記オーディオエレメントの１つの前記組み合わせを選択する選択部と、
選択された前記組み合わせの前記オーディオエレメントをデコードしてオーディオ信号を生成する生成部と
を備える復号装置。
【請求項２】
前記選択部は、同じコンテンツについて予め用意された複数の前記組み合わせのなかから１つの前記組み合わせを選択する
請求項１に記載の復号装置。
【請求項３】
前記複数の前記組み合わせごとに用意された、前記組み合わせの前記オーディオエレメントから構成されるビットストリームのうちの、前記選択部により選択された前記組み合わせのビットストリームを受信する通信部をさらに備える
請求項２に記載の復号装置。
【請求項４】
前記選択部は、ビットストリームを構成する複数の前記オーディオエレメントのうちのいくつかの前記オーディオエレメントを、１つの前記組み合わせとして選択する
請求項１または請求項２に記載の復号装置。
【請求項５】
前記選択部は、前記ビットストリームのメタデータに基づいて１つの前記組み合わせを選択する
請求項４に記載の復号装置。
【請求項６】
前記選択部は、前記メタデータとして、予め定められた複数の前記組み合わせを示す情報、および前記オーディオエレメントの優先度情報のうちの少なくとも何れか一方に基づいて、１つの前記組み合わせを選択する
請求項５に記載の復号装置。
【請求項７】
前記ビットストリームから、前記選択部により選択された前記組み合わせの前記オーディオエレメントを抽出する抽出部をさらに備える
請求項４乃至請求項６の何れか一項に記載の復号装置。
【請求項８】
前記選択部により選択された前記組み合わせの前記オーディオエレメントを受信する通信部をさらに備える
請求項４乃至請求項６の何れか一項に記載の復号装置。
【請求項９】
デコード対象として選択されなかった前記オーディオエレメントのサイズに基づいて、前記生成部によりデコードされる前記オーディオエレメントのバッファへの格納を制御するバッファ制御部をさらに備える
請求項５に記載の復号装置。
【請求項１０】
前記選択部は、選択した前記組み合わせを構成する前記オーディオエレメントのなかから、デコード対象としない前記オーディオエレメントをさらに選択し、
前記バッファ制御部は、前記選択部により選択された前記デコード対象としない前記オーディオエレメントのサイズに基づいて、前記選択部により選択された前記組み合わせを構成する、前記デコード対象としない前記オーディオエレメント以外の前記オーディオエレメントの前記バッファへの格納を制御する
請求項９に記載の復号装置。
【請求項１１】
前記選択部は、前記オーディオエレメントの優先度情報に基づいて、前記デコード対象としない前記オーディオエレメントを選択する
請求項１０に記載の復号装置。
【請求項１２】
オーディオエレメントの組み合わせごとに定まる、前記組み合わせの前記オーディオエレメントのデコードに必要なバッファサイズに基づいて、前記オーディオエレメントの１つの前記組み合わせを選択し、
選択された前記組み合わせの前記オーディオエレメントをデコードしてオーディオ信号を生成する
ステップを含む復号方法。
【請求項１３】
オーディオエレメントの組み合わせごとに定まる、前記組み合わせの前記オーディオエレメントのデコードに必要なバッファサイズに基づいて、前記オーディオエレメントの１つの前記組み合わせを選択し、
選択された前記組み合わせの前記オーディオエレメントをデコードしてオーディオ信号を生成する
ステップを含む処理をコンピュータに実行させるプログラム。
【手続補正２】
【補正対象書類名】明細書
【補正対象項目名】０２０１
【補正方法】変更
【補正の内容】
【０２０１】
さらに、オーディオエレメントの組み合わせが選択されると、要求部１４２は、選択部７３から供給された選択結果により示される組み合わせのオーディオエレメントからなるビットストリームの送信要求を通信部１４１に供給する。この送信要求は、例えば図２の矢印A11乃至矢印A16のうちの何れかにより示されるビットストリームの送信を要求するものである。
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
撮影レンズにより被写体像が結像される撮像面上の一つのオンチップレンズに対して複数の受光素子が配列された撮像素子であって、前記オンチップレンズが、前記撮影レンズの射出瞳と前記受光素子とが共役な関係となるように配置されている撮像素子と、
前記射出瞳の複数の異なる領域に対応するそれぞれ偏光方向が異なる複数の領域を有する偏光フィルターと、
前記複数の受光素子の出力から、前記偏光フィルターの複数の領域に対応する複数の画像を生成する画像処理手段と、
を備えることを特徴とする撮像装置。
【請求項２】
前記偏光フィルターは、ほぼ前記撮影レンズの射出瞳の位置に配置されていることを特徴とする請求項１に記載の撮像装置。
【請求項３】
前記偏光フィルターの複数の領域のそれぞれの配列と、前記一つのオンチップレンズに対する前記複数の受光素子のそれぞれの配列とは、互いに対応した関係を有することを特徴とする請求項１に記載の撮像装置。
【請求項４】
前記偏光フィルターは、偏光方向が互いに９０度異なる二つの領域を有し、前記撮像素子は、前記一つのオンチップレンズに対して前記偏光フィルターの二つの領域に対応する二つの受光素子を有することを特徴とする請求項３に記載の撮像装置。
【請求項５】
前記二つの受光素子は、前記偏光フィルターの二つの領域をそれぞれ通過した光をそれぞれ受光することを特徴とする請求項４に記載の撮像装置。
【請求項６】
前記偏光フィルターは、偏光方向が互いに４５度異なる四つの領域を有し、前記撮像素子は、前記一つのオンチップレンズに対して前記偏光フィルターの四つの領域に対応する四つの受光素子を有することを特徴とする請求項３に記載の撮像装置。
【請求項７】
前記四つの受光素子は、前記偏光フィルターの四つの領域をそれぞれ通過した光をそれぞれ受光することを特徴とする請求項６に記載の撮像装置。
【請求項８】
撮影レンズにより被写体像が結像される撮像面上の一つのオンチップレンズに対して複数の受光素子が配列された撮像素子であって、前記オンチップレンズが、前記撮影レンズの射出瞳と前記受光素子とが共役な関係となるように配置されている撮像素子と、
前記射出瞳の複数の異なる領域に対応するそれぞれ旋光方向が異なる複数の領域を有する旋光板と、
前記旋光板よりも前記撮像素子に近い側に配置された偏光フィルターと、
前記複数の受光素子の出力から、前記旋光板の複数の領域に対応する複数の画像を生成する画像処理手段と、
を備えることを特徴とする撮像装置。
【請求項９】
前記旋光板は、ほぼ前記撮影レンズの射出瞳の位置に配置されていることを特徴とする請求項８に記載の撮像装置。
【請求項１０】
前記旋光板の複数の領域のそれぞれの配列と、前記一つのオンチップレンズに対する前記複数の受光素子のそれぞれの配列とは、互いに対応した関係を有することを特徴とする請求項８に記載の撮像装置。
【請求項１１】
前記旋光板は、旋光特性が互いに９０度異なる二つの領域を有し、前記撮像素子は、前記一つのオンチップレンズに対して前記旋光板の二つの領域に対応する二つの受光素子を有することを特徴とする請求項１０に記載の撮像装置。
【請求項１２】
前記二つの受光素子は、前記旋光板の二つの領域をそれぞれ通過した光をそれぞれ受光することを特徴とする請求項１１に記載の撮像装置。
【請求項１３】
前記旋光板は、旋光特性が互いに４５度異なる四つの領域を有し、前記撮像素子は、前記一つのオンチップレンズに対して前記旋光板の四つの領域に対応する四つの受光素子を有することを特徴とする請求項１０に記載の撮像装置。
【請求項１４】
前記四つの受光素子は、前記旋光板の四つの領域をそれぞれ通過した光をそれぞれ受光することを特徴とする請求項１３に記載の撮像装置。
【請求項１５】
前記偏光フィルターは前記撮影レンズの光軸を中心として回転可能であることを特徴とする請求項８乃至１４のいずれか１項に記載の撮像装置。
【請求項１６】
前記複数の画像を複数のブロック領域に分割し、前記複数の画像のそれぞれ対応するブロックの画像を比較することにより、それぞれのブロックの偏光情報を求め、求められた偏光情報に基づいて前記複数の画像を合成する合成手段をさらに備えることを特徴とする請求項１乃至１５のいずれか１項に記載の撮像装置。
【請求項１７】
前記複数の画像を複数のブロック領域に分割し、前記複数の画像のそれぞれ対応するブロックの画像を比較して、最も輝度値の低いブロックを選択することにより、前記複数の画像を合成する合成手段をさらに備えることを特徴とする請求項１乃至１５のいずれか１項に記載の撮像装置。
【請求項１８】
前記複数の画像を複数のブロック領域に分割し、前記複数の画像のそれぞれ対応するブロックの画像を比較して、最も輝度値の高いブロックを選択することにより、前記複数の画像を合成する合成手段をさらに備えることを特徴とする請求項１乃至１５のいずれか１項に記載の撮像装置。
【手続補正２】
【補正対象書類名】明細書
【補正対象項目名】０００４
【補正方法】変更
【補正の内容】
【０００４】
【特許文献１】特開２０１０−２６６７３０号公報
【特許文献２】特開２００９−１６２８４７号公報
【特許文献３】特開２０１２−１９９６１４号公報
【手続補正３】
【補正対象書類名】明細書
【補正対象項目名】０００７
【補正方法】変更
【補正の内容】
【０００７】
本発明に係わる撮像装置は、撮影レンズにより被写体像が結像される撮像面上の一つのオンチップレンズに対して複数の受光素子が配列された撮像素子であって、前記オンチップレンズが、前記撮影レンズの射出瞳と前記受光素子とが共役な関係となるように配置されている撮像素子と、前記射出瞳の複数の異なる領域に対応するそれぞれ偏光方向が異なる複数の領域を有する偏光フィルターと、前記複数の受光素子の出力から、前記偏光フィルターの複数の領域に対応する複数の画像を生成する画像処理手段と、を備えることを特徴とする。
また、本発明に係わる撮像装置は、撮影レンズにより被写体像が結像される撮像面上の一つのオンチップレンズに対して複数の受光素子が配列された撮像素子であって、前記オンチップレンズが、前記撮影レンズの射出瞳と前記受光素子とが共役な関係となるように配置されている撮像素子と、前記射出瞳の複数の異なる領域に対応するそれぞれ旋光方向が異なる複数の領域を有する旋光板と、前記旋光板よりも前記撮像素子に近い側に配置された偏光フィルターと、前記複数の受光素子の出力から、前記旋光板の複数の領域に対応する複数の画像を生成する画像処理手段と、を備えることを特徴とする。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
複数の光電変換部を有する単位画素が行列状に配置された画素領域と、
前記単位画素内の複数の光電変換部が共通に接続され、前記複数の光電変換部から転送された信号電荷を電圧信号に変換するフローティングディフュージョン部と、
前記フローティングディフュージョン部の電圧に応じた信号が出力される出力線と、
前記単位画素につき、前記複数の光電変換部のすべての信号電荷を前記フローティングディフュージョン部に転送し混合して前記出力線から読み出す第１の読み出しモードと、前記複数の光電変換部の信号電荷を少なくとも１つずつ前記フローティングディフュージョン部に転送し独立に前記出力線から読み出す第２の読み出しモードとを切り替える切り替え手段と、を備え、
前記切り替え手段は、暗電流量に基づいて前記読み出しモードを切り替えることを特徴とする撮像装置。
【請求項２】
前記光電変換部で発生する暗電流をクランプするクランプ手段と、前記第２の読み出しモードで読み出した複数の光電変換部の信号を加算する加算手段とをさらに備え、前記加算手段は、前記クランプ手段で暗電流をクランプした後に、前記複数の光電変換部の信号を加算することを特徴とする請求項１に記載の撮像装置。
【請求項３】
暗電流量を算出する算出手段をさらに備え、前記切り替え手段は、前記算出手段で算出された暗電流量に基づいて前記読み出しモードを切り替えることを特徴とする請求項１または２に記載の撮像装置。
【請求項４】
前記切り替え手段は、少なくともＩＳＯ感度、蓄積時間、温度のいずれかに応じて前記読み出しモードを切り替えることを特徴とする請求項１または２に記載の撮像装置。
【請求項５】
前記出力線から出力された信号をＩＳＯ感度に応じて増幅する増幅手段をさらに備え、前記増幅手段は前記クランプ手段よりも前に前記出力線から出力された信号を増幅し、前記切り替え手段は、前記増幅手段の増幅の量に応じて前記読み出しモードを切り替えることを特徴とする請求項４に記載の撮像装置。
【請求項６】
温度を取得する取得手段をさらに備え、前記切り替え手段は、前記取得手段で取得した温度に応じて前記読み出しモードを切り替えることを特徴とする請求項４または５に記載の撮像装置。
【請求項７】
前記第１の読み出しモードでは、複数の光電変換部のすべての信号電荷をフローティングディフュージョン部に転送する前に、少なくとも１つの光電変換部の信号電荷を前記フローティングディフュージョン部に転送して前記出力線から読み出す第１の読み出し動作を行うことを特徴とする請求項１乃至６のいずれか１項に記載の撮像装置。
【請求項８】
前記画素領域は、前記単位画素ごとにマイクロレンズを備え、前記第１の読み出しモードの前記第１の読み出し動作で読み出した信号または前記第２の読み出しモードで読み出した信号を焦点検出に用いることを特徴とする請求項７に記載の撮像装置。
【請求項９】
複数の光電変換部を有する単位画素が行列状に配置された画素領域と、前記単位画素内の複数の光電変換部が共通に接続され、前記複数の光電変換部から転送された信号電荷を電圧信号に変換するフローティングディフュージョン部と、前記フローティングディフュージョン部の電圧に応じた信号が出力される出力線と、を備える撮像装置を制御する方法であって、
前記単位画素につき、前記複数の光電変換部のすべての信号電荷を前記フローティングディフュージョン部に転送し混合して前記出力線から読み出す第１の読み出しモードと、前記複数の光電変換部の信号電荷を少なくとも１つずつ前記フローティングディフュージョン部に転送し独立に前記出力線から読み出す第２の読み出しモードとを切り替える切り替え工程を有し、
前記切り替え工程では、暗電流量に基づいて前記読み出しモードを切り替えることを特徴とする撮像装置の制御方法。
【請求項１０】
請求項９に記載の制御方法の各工程をコンピュータに実行させるためのプログラム。
【請求項１１】
請求項９に記載の制御方法の各工程をコンピュータに実行させるためのプログラムを記憶したコンピュータが読み取り可能な記憶媒体。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
制御部と、
複数の機能部と、
前記制御部のバスラインを前記複数の機能部のバスラインのそれぞれに接続可能なバススイッチであって、前記複数の機能部のうちの少なくとも１つの第１機能部と同じ電源ドメインであるバススイッチと、
前記第１機能部とは異なる少なくとも１つの第２機能部への電力の供給と遮断とを制御する、及び、前記電源ドメインへの電力の供給と遮断とを制御する、電力制御部と、を備え、
前記電力制御部は、前記第２機能部への電力の供給より先に前記電源ドメインに電力が供給されるよう制御し、前記電源ドメインへの電力の遮断より先に前記第２機能部への電力が遮断されるよう制御する、ことを特徴とすることを特徴とする電子回路。
【請求項２】
前記バススイッチと前記第２機能部と通信可能に接続するバスラインのうちの前記バススイッチから前記第２機能部へのデータの送信ラインの一部又は全部にアイソレータを設けない、ことを特徴とする請求項１に記載の電子回路。
【請求項３】
前記バススイッチから前記第２機能部へのデータの送信ラインに設けられるアイソレータの数は、前記第２機能部から前記バススイッチへのデータの送信ラインに設けられるアイソレータの数より、少ない、ことを特徴とする請求項１又は２に記載の電子回路。
【請求項４】
前記バススイッチは、バスプロトコルを変換する変換部を有する、ことを特徴とする請求項１乃至３の何れか１項に記載の電子回路。
【請求項５】
電力を供給する電源ユニットをさらに備え、
前記電力制御部は、前記電源ユニットから前記第２機能部への電力の供給と遮断とを制御可能であり、前記電源ドメインへの電力の供給と遮断とを制御可能であり、
前記電力制御部は、前記電源ユニットから前記制御部への電力の供給及び遮断を制御できない、ことを特徴とする請求項１乃至４の何れか１項に記載の電子回路。
【請求項６】
前記制御部は、少なくともＣＰＵを含む、ことを特徴とする請求項１乃至５の何れか１項に記載の電子回路。
【請求項７】
前記制御部と前記電力制御部とは、同じ電源ドメインである、ことを特徴とする請求項１乃至６の何れか１項に記載の電子回路。
【請求項８】
前記第１機能部は、データの圧縮及び圧縮されたデータの伸張の少なくとも一方を実行する、ことを特徴とする請求項１乃至７の何れか１項に記載の電子回路。
【請求項９】
前記第２機能部は、スキャナが読み取って生成したスキャンデータの補正を行うスキャン処理部、描画コマンドを解釈してラスタ画像データを生成するレンダラ部、ラスタ画像データに対して画像処理を行う画像処理部、又は、画像処理がなされた画像データをプリンタに出力するプリンタ処理部、である、ことを特徴とする請求項１乃至８の何れか１項に記載の電子回路。
【請求項１０】
前記電力制御部は、前記複数の第２機能部への電力の供給と遮断とをそれぞれ制御可能であって、
前記電力制御部は、前記複数の第２機能部への電力の供給より先に前記電源ドメインに電力が供給されるよう制御し、前記電源ドメインへの電力の遮断より先に前記複数の第２機能部への電力が遮断されるよう制御する、ことを特徴とすることを特徴とする請求項１乃至９の何れか１項に記載の電子回路。
【請求項１１】
前記電力制御部は、前記複数の第２機能部への電力の供給及び前記電源ドメインへの電力の供給の順番とは逆順で、前記複数の第２機能部への電力の遮断及び前記電源ドメインへの電力の遮断を行う、ことを特徴とする請求項１０に記載の電子回路。
【請求項１２】
請求項１乃至１１の何れか１項に記載の電子回路を有することを特徴とする、半導体集積回路。
【請求項１３】
印刷部と、
請求項１乃至１１の何れか１項に記載の電子回路と、を有することを特徴とする印刷装置。
【請求項１４】
読取部と、
請求項１乃至１１の何れか１項に記載の電子回路と、を有することを特徴とする読取装置。
【請求項１５】
制御部と、複数の機能部と、前記制御部のバスラインを前記複数の機能部のバスラインのそれぞれに接続可能なバススイッチと、を備える電子回路の電力制御方法であって、
前記バススイッチを、前記複数の機能部のうちの少なくとも１つの第１機能部と同じ電源ドメインとなるように構成し、
前記第１機能部とは異なる少なくとも１つの第２機能部への電力の供給より先に前記電源ドメインに電力が供給されるよう制御し、
前記電源ドメインへの電力の遮断より先に前記第２機能部への電力が遮断されるよう制御する、ことを特徴とすることを特徴とする電子回路の電力制御方法。
【手続補正２】
【補正対象書類名】明細書
【補正対象項目名】００１０
【補正方法】変更
【補正の内容】
【００１０】
本発明に係る電子回路は、制御部と、複数の機能部と、前記制御部のバスラインを前記複数の機能部のバスラインのそれぞれに接続可能なバススイッチであって、前記複数の機能部のうちの少なくとも１つの第１機能部と同じ電源ドメインであるバススイッチと、前記第１機能部とは異なる少なくとも１つの第２機能部への電力の供給と遮断とを制御する、及び、前記電源ドメインへの電力の供給と遮断とを制御する、電力制御部と、を備え、前記電力制御部は、前記第２機能部への電力の供給より先に前記電源ドメインに電力が供給されるよう制御し、前記電源ドメインへの電力の遮断より先に前記第２機能部への電力が遮断されるよう制御する、ことを特徴とすることを特徴とする。